(57)【要約】【課題】  従来よりも映像と波形の対応が瞬時に判別出来て使い勝手が向上した、映像信号の映像波形マルチ表示装置とマルチ表示方法を提供する。【解決手段】  表示画面内の予め定めた位置に映像を表示し、この表示の水平および垂直位置近傍の対応した位置に、水平ラインの波形と垂直ラインの波形をそれぞれ映像と同一サイズで同時表示することにより、映像と波形の対応が容易に把握され、表示画面の切換なしに映像状態を瞬時に判別可能にする。【選択図】  図３
2008022390.tif 000002
【特許請求の範囲】
【請求項１】
映像と映像信号波形を同一画面に同時に表示する表示装置において、映像表示と水平波形表示の横方向位置およびサイズを一致させて表示することを特徴とする映像波形マルチ表示装置。
【請求項２】
映像と映像信号波形を同一画面に同時に表示する表示装置において、映像表示と垂直波形表示の縦方向位置およびサイズを一致させて表示することを特徴とする映像波形マルチ表示装置。
【請求項３】
映像表示装置において、ベクトルも同一画面に同時に表示することを特徴とする請求項１，２に記載の映像波形マルチ表示装置。
【請求項４】
映像と映像信号波形を同一画面に同時に表示する表示装置において、映像表示と水平波形表示の横方向位置およびサイズを一致させて表示することを特徴とする映像波形マルチ表示方法。
【請求項５】
映像と映像信号波形を同一画面に同時に表示する表示装置において、映像表示と垂直波形表示の縦方向位置およびサイズを一致させて表示することを特徴とする映像波形マルチ表示方法。
【請求項６】
映像表示装置において、ベクトルも同一画面に同時に表示することを特徴とする請求項４，５に記載の映像波形マルチ表示方法。
【発明の詳細な説明】
【技術分野】
【０００１】
本発明は映像信号の波形表示装置と波形表示方法に関するものである。
【背景技術】
【０００２】
従来の映像信号の波形表示方法は、画面内の指定した位置に対応する水平方向のみの映像信号の波形を同一画面内に表示する方法であり、情報量不足の為に映像状態が瞬時に判別し辛かった。
【０００３】
【特許文献１】特開２００２−１３５８１２
【発明の開示】
【発明が解決しようとする課題】
【０００４】
本発明は、上記問題点を解決し、映像状態が瞬時に判別出来る映像信号の波形表示装置と波形表示方法を提供することを課題としている。
【課題を解決するための手段】
【０００５】
上記問題を解決する為に、本発明の映像信号波形の表示方法は、表示画面内の予め定めた位置に映像を表示し、カーソル等によって指定した水平ラインの波形と、垂直ラインの波形、およびベクトル表示を映像と同一画面内の適宜な場所に同時表示する事を特徴としている。
【０００６】
この発明によれば、映像表示近傍の適宜な場所に各波形をマルチ表示するので映像との対応が取り易くなり、映像状態が瞬時に判別出来る様になる。
【発明の効果】
【０００７】
本発明によれば、画面内の指定した位置に対応する映像信号の水平方向の波形と垂直方向の波形とベクトル波形を映像と同一画面内の適宜な位置に同時表示するので、情報量が増加して画面を切り換える必要も無く、視認性が向上するという効果がある。
【発明を実施するための最良の形態】
【０００８】
以下、図面によって本発明を詳細に説明する。
【０００９】
図1は本発明の第一のポイントを示す図で、映像と水平波形を同時に表示した時の表示画面である。１０は表示画面、２０は映像表示部、３０は水平波形表示部で例えばY、Pb、Prの3個の波形１１１、１１２、１１３を表示する。水平波形表示部には、映像全体に相当する水平波形を表示する場合と、特定水平ラインにカーソル１０１を表示し、このラインのみの水平波形を表示する場合がある。
【００１０】
この方法は従来からも実施されて来たが、映像表示と水平波形表示の位置およびサイズは表示画面の構成上の都合で必ずしも一致しておらず、映像と水平波形の対応を直感的に把握するのが困難であった。本発明では、映像表示と水平波形表示の位置およびサイズを完全に一致させ、映像と水平波形の対応を直感的に把握するのを容易にしている。
【００１１】
図２は本発明の第二のポイントを示す図で、垂直方向の波形を映像表示の左（または右）に表示の縦サイズおよび位置を揃えて表示する。ここで、信号の輝度／色相レベルを横軸に、映像の時間を縦軸にして上から下へ表示する。図で１０は表示画面、２０は映像表示部、４０は垂直波形表示部、２１１〜２１３は垂直波形の例えばY、Pb、Pr成分である。この垂直波形は水平波形の場合と同様に、映像全体に相当する波形を表示する場合と、特定の垂直ラインにカーソル２０１を表示し、このラインのみの垂直波形を表示する場合がある。
【００１２】
この様に映像表示と垂直波形表示を横に並べて、縦サイズおよび位置を揃えて表示することにより映像画面と垂直波形を対応して観測することが可能になり、視認性が向上する。
【００１３】
図３は映像、水平波形、垂直波形およびベクトルを同一画面に表示した時の例で、５０はベクトル表示部である。この例では、水平波形表示３０を映像表示部２０の下にサイズおよび位置を揃え、また垂直波形表示部を映像表示部の右にサイズおよび位置を揃えて表示する。こうすることにより映像画面と水平／垂直波形を対応して観測することが出来るため、視認性が向上する。
【００１４】
図４は図３に示す表示を実施する時のブロック図の１例である。
ここで３００は表示器、４００は入力映像信号である。映像信号４００は水平および垂直スケーラ３０１、３０２によって、予め決められた表示サイズに拡大／縮小され、映像メモリ３２１に蓄えられる。拡大／縮小された水平信号はレベル／位置変換部３１１によってレベルを垂直位置に変換し水平波形メモリ３２２に蓄積する。同様に垂直信号はレベル／位置変換部３１２によってレベルを水平位置に変換し垂直波形メモリー３２３に蓄積する。一方映像信号中のR，G，BまたはY，Pb，Pr各成分よりベクトル演算部３０３によってベクトル成分をもとめ、ベクトルメモリ３２４に蓄積する。
【００１５】
ディスプレイカウンタ３４０は表示する画素の水平／垂直アドレス４１０、４２０を出力する。選択回路３３０では、ディスプレイカウンタから出力された水平／垂直アドレスによって、その位置に映像／水平波形/垂直波形／ベクトルのいずれを表示するかを予め決められた表示位置に基づいて選択し表示器３５０に送る。
【００１６】
図５は本発明の効果を示すためのＶ波形表示方法を示すもので、（ａ）は映像表示画面、（ｂ）は従来のやり方でＶ波形を表示した時の波形表示画面、（ｃ）は本発明の方法によるＶ波形表示画面である。（ａ）に示すような横長なカラーバーが縦に並んだカラーバー信号のＶ波形表示をする場合、従来の（ｂ）のように輝度レベルを縦軸に、映像のＶ方向（時間）を横軸に表示すると、Ｖ波形と映像との対応を直感的に捉えるのが困難である。
【００１７】
これに比べて、本発明の（ｃ）のように、輝度レベルを横軸に、映像のＶ方向（時間）を縦軸に表示し、さらに映像のＶ軸と波形表示のＶ軸のサイズおよび位置を一致させて表示することにより、映像とＶ波形の対応を直感的に捉えることが容易になり、視認性が向上する。
【図面の簡単な説明】
【００１８】
【図１】映像と水平波形の同時表示画面の図であり本発明の第一のポイントを示す。
【図２】本発明の第二のポイントによる映像と垂直波形の同時表示画面の図である。
【図３】本発明による映像と水平／垂直波形及びベクトルの同時表示画面の図である。
【図４】図３の表示を実施するブロックの例である。
【図５】本発明の効果を示す図である。
【符号の説明】
【００１９】
１０  表示画面
２０  映像表示部
３０  水平波形表示部
４０  垂直波形表示部
５０  ベクトル表示部
１０１  水平位置カーソル
１１１  水平波形
１１２  水平波形
１１３  水平波形
２０１  垂直位置カーソル
２１１  垂直波形
２１２  垂直波形
２１３  垂直波形
３０１  水平スケーラ
３０２  垂直スケーラ
３０３  ベクトル演算部
３１１  レベル／位置変換部
３１２  レベル／位置変換部
３２１  映像メモリ
３２２  水平波形メモリ
３２３  垂直波形メモリ
３２４  ベクトルメモリ
３３０  選択回路
３４０  ディスプレイカウンタ
３５０  表示器
４００  入力映像信号
４１０  水平アドレス
４２０  垂直アドレス
【図１】
2008022390.tif 000003
【図２】
2008022390.tif 000004
【図３】
2008022390.tif 000005
【図４】
2008022390.tif 000006
【図５】
2008022390.tif 000007